(57)【特許請求の範囲】
【請求項１】
空間ダイバシティのための複数個の復調ユニットを備え、
各復調ユニットは、高周波信号を受信するアンテナと、
前記高周波信号を中間周波数信号に変換するチューナと、
前記中間周波数信号からベースバンド信号を取り出してデジタル信号処理するベースバンド信号処理部と、
前記ベースバンド信号処理部によってデジタル信号処理されたベースバンド信号の誤りを訂正するために設けられた誤り訂正処理部とを含み、
前記ベースバンド信号処理部は、前記中間周波数信号からベースバンド信号を取り出す直交検波回路と、
前記ベースバンド信号を波形等化する波形等化回路と、
空間ダイバシティ合成のためのダイバシティ合成回路とを有し、
前記誤り訂正処理部は、誤り訂正処理のために設けられた誤り訂正処理メモリを有し、
前記複数個の復調ユニットの１つの波形等化回路から出力された第１ベースバンド信号は、前記復調ユニットの１つの誤り訂正処理メモリにより、前記復調ユニットの他の１つの波形等化回路から出力された第２ベースバンド信号とのタイミングを調整され、
前記復調ユニットの他の１つのダイバシティ合成回路は、前記復調ユニットの１つの誤り訂正処理メモリにより前記第２ベースバンド信号とのタイミングを調整された第１ベースバンド信号と、前記第２ベースバンド信号とを合成することを特徴とするＯＦＤＭ復調装置。
【請求項２】
前記誤り訂正処理メモリは、前記ベースバンド信号をデインタリーブ処理するデインタリーブ回路用ＲＡＭである請求項１記載のＯＦＤＭ復調装置。
【請求項３】
前記複数個の復調ユニットは、一対の復調ユニットである請求項１記載のＯＦＤＭ復調装置。
【請求項４】
前記複数個の復調ユニットのそれぞれは、チップ状に構成される請求項１記載のＯＦＤＭ復調装置。
【請求項５】
前記ベースバンド信号処理部は、前記ベースバンド信号のシンボル同期処理を行うシンボル同期回路を有する請求項１記載のＯＦＤＭ復調装置。
【請求項６】
前記ベースバンド信号処理部は、前記ベースバンド信号のシンボル同期処理を行うシンボル同期回路と、
前記ベースバンド信号の広帯域キャリア周波数誤差を補正する広帯域キャリア周波数誤差補正回路と、
空間ダイバシティにおけるタイミングの差を調整するために設けられたタイミング調整回路とを有し、
前記複数個の復調ユニットの１つに設けられたタイミング調整回路は、前記復調ユニットの１つのシンボル同期回路と前記復調ユニットの他の１つのシンボル同期回路との間のシンボル同期タイミングの差と、前記復調ユニットの１つの広帯域キャリア周波数誤差補正回路と前記復調ユニットの他の１つの広帯域キャリア周波数誤差補正回路との間の広帯域キャリア周波数誤差補正の差とを、前記復調ユニットの１つの誤り訂正処理メモリによって調整するための制御信号を生成する請求項１記載のＯＦＤＭ復調装置。
【請求項７】
空間ダイバシティのための複数個の復調ユニットを備え、各復調ユニットは、高周波信号を受信するアンテナと、前記高周波信号を中間周波数信号に変換するチューナと、前記中間周波数信号からベースバンド信号を取り出してデジタル信号処理するベースバンド信号処理部と、前記ベースバンド信号処理部によってデジタル信号処理されたベースバンド信号の誤りを訂正するために設けられた誤り訂正処理部とを含み、前記ベースバンド信号処理部は、前記中間周波数信号からベースバンド信号を取り出す直交検波回路と、前記ベースバンド信号を波形等化する波形等化回路と、空間ダイバシティ合成のためのダイバシティ合成回路とを有し、前記誤り訂正処理部は、誤り訂正処理のために設けられた誤り訂正処理メモリを有するＯＦＤＭ復調装置の動作方法であって、
前記複数個の復調ユニットの１つの波形等化回路から出力された第１ベースバンド信号と、前記復調ユニットの他の１つの波形等化回路から出力された第２ベースバンド信号との間のタイミングを前記復調ユニットの１つの誤り訂正処理メモリによって調整し、
前記復調ユニットの１つの誤り訂正処理メモリにより前記第２ベースバンド信号とのタイミングを調整された第１ベースバンド信号と、前記第２ベースバンド信号とを、前記復調ユニットの他の１つのダイバシティ合成回路によって合成することを特徴とするＯＦＤＭ復調装置の動作方法。
【請求項８】
空間ダイバシティのための複数個の復調ユニットを備え、各復調ユニットは、高周波信号を受信するアンテナと、前記高周波信号を中間周波数信号に変換するチューナと、前記中間周波数信号からベースバンド信号を取り出してデジタル信号処理するベースバンド信号処理部と、前記ベースバンド信号処理部によってデジタル信号処理されたベースバンド信号の誤りを訂正するために設けられた誤り訂正処理部とを含み、前記ベースバンド信号処理部は、前記中間周波数信号からベースバンド信号を取り出す直交検波回路と、前記ベースバンド信号を波形等化する波形等化回路と、空間ダイバシティ合成のためのダイバシティ合成回路とを有し、前記誤り訂正処理部は、誤り訂正処理のために設けられた誤り訂正処理メモリを有するＯＦＤＭ復調装置によるＯＦＤＭ復調方法を実行するプログラムであって、
コンピュータに、前記複数個の復調ユニットの１つの波形等化回路から出力された第１ベースバンド信号と、前記復調ユニットの他の１つの波形等化回路から出力された第２ベースバンド信号との間のタイミングを前記復調ユニットの１つの誤り訂正処理メモリによって調整する手順と、
前記復調ユニットの１つの誤り訂正処理メモリにより前記第２ベースバンド信号とのタイミングを調整された第１ベースバンド信号と、前記第２ベースバンド信号とを、前記復調ユニットの他の１つのダイバシティ合成回路によって合成する手順とを実行させることを特徴とするプログラム。
【請求項９】
空間ダイバシティのための複数個の復調ユニットを備え、各復調ユニットは、高周波信号を受信するアンテナと、前記高周波信号を中間周波数信号に変換するチューナと、前記中間周波数信号からベースバンド信号を取り出してデジタル信号処理するベースバンド信号処理部と、前記ベースバンド信号処理部によってデジタル信号処理されたベースバンド信号の誤りを訂正するために設けられた誤り訂正処理部とを含み、前記ベースバンド信号処理部は、前記中間周波数信号からベースバンド信号を取り出す直交検波回路と、前記ベースバンド信号を波形等化する波形等化回路と、空間ダイバシティ合成のためのダイバシティ合成回路とを有し、前記誤り訂正処理部は、誤り訂正処理のために設けられた誤り訂正処理メモリを有するＯＦＤＭ復調装置によるＯＦＤＭ復調方法を実行するプログラムを記録したコンピュータ読み取り可能な記録媒体であって、
コンピュータに、前記複数個の復調ユニットの１つの波形等化回路から出力された第１ベースバンド信号と、前記復調ユニットの他の１つの波形等化回路から出力された第２ベースバンド信号との間のタイミングを前記復調ユニットの１つの誤り訂正処理メモリによって調整する手順と、
前記復調ユニットの１つの誤り訂正処理メモリにより前記第２ベースバンド信号とのタイミングを調整された第１ベースバンド信号と、前記第２ベースバンド信号とを、前記復調ユニットの他の１つのダイバシティ合成回路によって合成する手順とを実行させるプログラムを記録したことを特徴とするコンピュータ読み取り可能な記録媒体。
【発明の詳細な説明】
【技術分野】
【０００１】
本発明は、デジタル伝送方式にて、映像信号や音声信号を効率よく伝送できる直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘ、以下、略してＯＦＤＭ）復調装置、ＯＦＤＭ復調装置の動作方法、プログラム及びコンピュータ読み取り可能な記録媒体に関する。
【背景技術】
【０００２】
（ＯＦＤＭ放送）
地上デジタル放送では、建物によるゴースト妨害（フェージング、マルチパス）の克服に好適な変調方式として、マルチキャリアのＯＦＤＭ変復調方式が知られている。ＯＦＤＭ変復調方式は、１チャンネル帯域内に多数（２５６〜１０２４程度）のサブ・キャリアを設けて、映像信号や音声信号を効率よく伝送することが可能なデジタル変調・復調方式である。全キャリアを高速フーリエ逆変換（ＩＦＦＴ：  Ｉｎｖｅｒｓｅ  Ｆａｓｔ  Ｆｏｕｒｉｅｒ  Ｔｒａｎｓｆｏｒｍ）によってＯＦＤＭ変調されたベースバンド（ＢＢ：ＢａｓｅＢａｎｄ）信号を生成する。
【０００３】
図７は、ＯＦＤＭ変調波の伝送シンボルの一例を示す図である。ＩＦＦＴ変換の処理窓の期間が、有効シンボル期間ｔｓとなる。有効シンボル期間は、ＦｓクロックＮ周期に相当する。有効シンボル期間ｔｓを基本単位としてデジタル変調された全キャリアを加え合わせたものを、ＯＦＤＭ伝送シンボルという。
【０００４】
実際の伝送シンボルは、通常、図７に示すように、有効シンボル期間２０１に、ガードインターバル（ＧＩ）２０２ａと呼ばれる期間ｔｇを付加して構成されている。ＧＩ期間ｔｇ（２０２ａ）の波形は、有効シンボル期間ｔｓの後部２０２ｂの信号波形を繰り返したものになっている。伝送シンボルのシンボル期間２０３は、有効シンボル期間２０１とＧＩ期間２０２ａとの和となる。たとえば、非特許文献１の放送規格によると、有効シンボル期間長は、ＭＯＤＥと呼ばれるパラメータによって次表１の様に定義されている。
【０００５】
【表１】
0004499045.tif 000002
【０００６】
さらに、ＧＩ期間（単位：μｓ）は、各有効シンボル期間長に対する比であるＧＩ期間長（ＧＩ比）と呼ばれるパラメータによって、次表２の様に定義されている。
【０００７】
【表２】
0004499045.tif 000003
【０００８】
また、伝送シンボルを幾つか集めたものを伝送フレームという。これは、情報伝送用シンボルが１００個程度集まったものに、フレーム同期用シンボルやサービス識別用シンボルを付加したものである。たとえば非特許文献１では、１フレームが２０４シンボルと定義されている。
【０００９】
また、非特許文献１によると、ＱＰＳＫ、１６ＱＡＭ、または６４ＱＡＭ変調された１伝送シンボルには、１セグメント当たり、次表３に示すキャリアが配置されている。
【００１０】
【表３】
0004499045.tif 000004
【００１１】
この表において、ＳＰは、ＳＰ（Ｓｃａｔｔｅｒｅｄ  Ｐｉｌｏｔ）信号を意味する。このＳＰ信号は、周期的に挿入されるパイロット信号であり、たとえば、キャリア方向において、１２キャリアに１回、シンボル方向において、４シンボルに１回、挿入される。ＴＭＣＣは、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号を意味する。このＴＭＣＣ信号は、フレーム同期信号や伝送パラメータを伝送するための信号である。ＡＣ１は、ＡＣ１（Ａｕｘｉｌｉａｒｙ  Ｃｈａｎｎｅｌ）信号を意味する。このＡＣ１信号は、付加情報を伝送するための信号である。ＴＭＣＣとＡＣ１は、ＳＰと異なり、各キャリアにおいて、非周期的に配置されている。
【００１２】
（従来のＯＦＤＭ復調装置の基本構成）
従来のＯＦＤＭ復調装置の一構成例は、たとえば、特許文献１の図３に示されている。図８は、従来のＯＦＤＭ復調装置９１の構成を示すブロック図である。ＯＦＤＭ復調装置９１は、空間ダイバシティのための２個の復調ユニット９２ａ・９２ｂを備えている。
【００１３】
ダイバシティとは、複数の受信信号を得る手段を設け、選択もしくは合成によって、フェージング耐性等の受信性能を改善しようとする手法である。ダイバシティには、複数のアンテナで受信し、受信機で複数の受信信号を合成する空間ダイバシティと、異なる周波数に同じ情報をのせる（ＴＭＣＣ／ＡＣ１）周波数ダイバシティと、偏波での伝送特性の違いを利用して、垂直偏波・平行偏波もしくは右旋円偏波・左旋円偏波に同じ情報をのせる偏波ダイバシティと、同一の情報を、時間間隔をおいて送信する時間ダイバシティと、遅延の差を利用して各波を分離しその遅延を調整して合成するパスダイバシティとがある。
【００１４】
空間ダイバシティの合成方法には、２個の復調ユニットのうち受信状況が良い方に切り替える選択合成法と、２個の復調ユニットの信号を位相のみ調整して合成する等利得合成法と、２個の復調ユニットの信号の振幅・位相両方を調整して合成する最大比合成法とがある。
【００１５】
復調ユニット９２ａは、１チップ状に構成されており、アンテナ９３ａと、チューナ９４ａと、ベースバンド信号処理部９５ａと、誤り訂正処理部９６ａとを含んでいる。ベースバンド信号処理部９５ａは、アナログデジタル変換器（ＡＤＣ）９７ａと、直交検波回路９８ａと、狭帯域キャリア周波数誤差補正回路９９ａと、シンボル同期回路８０ａと、ＡＧＣ（自動利得制御（Ａｕｔｏ  Ｇａｉｎ  Ｃｏｎｔｒｏｌ））回路８１ａと、ＦＦＴ演算回路８２ａと、広帯域キャリア周波数誤差補正回路８３ａと、ＴＭＣＣ復号回路８４ａと、波形等化回路８５ａと、タイミング調整ＲＡＭ８７ａと、ダイバシティ合成回路８６ａとを有している。誤り訂正処理部９６ａは、デマッピング回路８９ａと、デインタリーブ回路７０ａと、デインタリーブＲＡＭ７１ａ・７２ａと、リードソロモン（ＲＳ）復号回路７３ａとを有している。
【００１６】
復調ユニット９２ｂも、復調ユニット９２ａと共通に構成されている。復調ユニット９２ｂは、１チップ状に構成されており、アンテナ９３ｂと、チューナ９４ｂと、ベースバンド信号処理部９５ｂと、誤り訂正処理部９６ｂとを含んでいる。ベースバンド信号処理部９５ｂは、アナログデジタル変換器（ＡＤＣ）９７ｂと、直交検波回路９８ｂと、狭帯域キャリア周波数誤差補正回路９９ｂと、シンボル同期回路８０ｂと、ＡＧＣ回路８１ｂと、ＦＦＴ演算回路８２ｂと、広帯域キャリア周波数誤差補正回路８３ｂと、ＴＭＣＣ復号回路８４ｂと、波形等化回路８５ｂと、タイミング調整ＲＡＭ８７ｂと、ダイバシティ合成回路８６ｂとを有している。誤り訂正処理部９６ｂは、デマッピング回路８９ｂと、デインタリーブ回路７０ｂと、デインタリーブＲＡＭ７１ｂ・７２ｂと、リードソロモン（ＲＳ）復号回路７３ｂとを有している。
【００１７】
放送局から放送されたデジタル放送の放送波は、ＯＦＤＭ復調装置９１のアンテナ９３ａ・９３ｂによりそれぞれ受信され、ＲＦ信号としてチューナ９４ａ・９４ｂにそれぞれ供給される。チューナ９４ａ・９４ｂは、アンテナ９３ａ・９３ｂを通じてそれぞれ受信されたＲＦ（高周波）信号を、ＩＦ（中間周波数）信号に周波数変換する。チューナ９４ａ・９４ｂは、周波数変換したＩＦ信号を、ベースバンド信号処理部９５ａ・９５ｂにそれぞれ設けられたＡＤＣ９７ａ・９７ｂにそれぞれ供給する。
【００１８】
チューナ９４ａ・９４ｂから出力されたＩＦ信号は、ＡＤＣ９７ａ・９７ｂによりデジタル化される。デジタル化されたＩＦ信号は、直交検波回路９８ａ・９８ｂにそれぞれ供給される。
【００１９】
直交検波回路９８ａ・９８ｂは、所定の周波数（キャリア周波数）のキャリア信号を用いて、デジタル化されたＩＦ信号を直交復調し、ベースバンドのＯＦＤＭ信号を出力する。ベースバンドのＯＦＤＭ信号は、直交復調された結果、実軸成分（Ｉチャネル信号）と、虚軸成分（Ｑチャネル信号）とから構成される複素信号となる。直交検波回路９８ａ・９８ｂから出力されるベースバンドのＯＦＤＭ信号は、狭帯域キャリア周波数誤差補正回路９９ａ・９９ｂに供給される。
【００２０】
狭帯域キャリア周波数誤差補正回路９９ａ・９９ｂは、直交検波回路９８ａ・９８ｂから供給されたベースバンドのＯＦＤＭ信号の狭帯域キャリア周波数誤差を補正して、シンボル同期回路８０ａ・８０ｂ及びＦＦＴ演算回路８２ａ・８２ｂに供給する。
【００２１】
シンボル同期回路８０ａ・８０ｂは、ベースバンドのＯＦＤＭ信号から伝送モード及びガードインターバル比等の伝送パラメータを抽出するシンボル同期処理を実行する。
【００２２】
広帯域キャリア周波数誤差補正回路８３ａ・８３ｂは、ＦＦＴ演算回路８２ａ・８２ｂによって供給されたベースバンドのＯＦＤＭ信号の広帯域キャリア周波数誤差を補正してＦＦＴ演算回路８２ａ・８２ｂに供給する。
【００２３】
ＦＦＴ演算回路８２ａ・８２ｂは、ベースバンドのＯＦＤＭ信号に対してＦＦＴ演算を行い、各サブキャリアに直交変調されている信号を抽出して出力する。ＦＦＴ演算回路８２ａ・８２ｂは、１つのＯＦＤＭシンボルから有効シンボル長分の信号を抜き出し、抜き出した信号に対してＦＦＴ演算を行う。すなわち、ＦＦＴ演算回路８２ａ・８２ｂは、１つのＯＦＤＭシンボルからガードインターバル長分の信号を除き、残った信号に対してＦＦＴ演算を行う。ＦＦＴ演算を行うために抜き出される信号の範囲は、その抜き出した信号点が連続していれば、１つのＯＦＤＭ伝送シンボルの任意の位置でよい。つまり、その抜き出す信号の範囲の開始位置は、ＧＩ期間中のいずれかの位置となる。ＦＦＴ演算回路８２ａ・８２ｂにより抽出された各サブキャリアに変調されていた信号は、実軸成分（Ｉチャネル信号）と虚軸成分（Ｑチャネル信号）とから構成される複素信号である。ＦＦＴ演算回路８２ａ・８２ｂにより抽出された信号は、ＴＭＣＣ復号回路８４ａ・８４ｂおよび波形等価回路８５ａ・８５ｂに供給される。
【００２４】
波形等価回路８５ａ・８５ｂには、ＦＦＴ演算回路８２ａ・８２ｂから出力された各サブキャリアから復調された後の信号が供給される。空気中等の通信路中では、周波数選択性フェージング、レイリーフェージング等が発生し、ベースバンド信号が歪む。波形等価回路８５ａ・８５ｂは、サブキャリアの中に含まれているＳＰキャリアを基準にして、この歪みを補正するブロックである。
【００２５】
ＴＭＣＣ復号回路８４ａ・８４ｂは、ＯＦＤＭ伝送フレームにおける所定の位置に変調されている、ＴＭＣＣなどの伝送制御情報を復号する。
【００２６】
２系統のアンテナ９３ａ・９３ｂによってそれぞれ受信した２個の信号をダイバシティ合成する場合を考える。前述した空間ダイバシティの選択合成法と等利得合成法と最大比合成法とのいずれの場合も、同じキャリア番号のＦＦＴ出力、波形等化出力を選択・合成しないとダイバシティの効果が出ない。しかし、各アンテナ９３ａ・９３ｂには、別個のチューナ９４ａ・９４ｂをそれぞれ接続するので、復調側は独立にキャリア周波数同期・シンボル同期を行なう。したがって、送信側において同じキャリア番号の情報であっても、２系統の受信側のＦＦＴもしくは波形等化出力において対応するデータが出力されるタイミングは互いに異なる。
【００２７】
そこで、波形等価回路８５ａから出力された信号をタイミング調整ＲＡＭ８７ａに格納し、波形等価回路８５ｂから出力された信号をタイミング調整ＲＡＭ８７ｂに格納する。そして、ダイバシティ合成回路８６ｂは、タイミング調整ＲＡＭ８７ａに格納された信号と、タイミング調整ＲＡＭ８７ｂに格納された信号とを、タイミングを調整して合成し、誤り訂正処理部９６ｂに設けられたデマッピング回路８９ｂに供給する。
【００２８】
デマッピング回路８９ｂは、キャリア復調された信号（複素信号）に対して、データの再割付処理（デマッピング処理）を行う。これにより、伝送データ系列を復元する。
【００２９】
デインタリーブ回路７０ｂは、キャリア復調された信号を、デインタリーブＲＡＭ７１ｂにより、周波数軸方向に沿ってデインタリーブ処理し、デインタリーブＲＡＭ７２ｂにより、時間軸方向に沿ってデインタリーブ処理した後、ＲＳ復号回路７３ｂに供給する。
【００３０】
ＲＳ復号回路７３ｂは、入力された伝送データ系列に対してリードソロモン復号処理を行う。これにより、ＭＰＥＧ−２システムズで規定されたトランスポートストリームとして伝送データ系列を出力する。
【００３１】
ダイバシティ合成回路８６ａとデマッピング回路８９ａとデインタリーブ回路７０ａとデインタリーブＲＡＭ７１ａ・７２ａとＲＳ復号回路７３ａとは、使用されない。
【００３２】
このように構成された２チップダイバシティ構成のＯＦＤＭ復調装置は、１チップ１系統の復調機能を有しており、コストの観点から両チップは、共通のＬＳＩである必要があるが、ダイバシティを行わないときは、１チップでモジュールを構成し、ダイバシティを行うときには、２チップでモジュールを構成すればよく、システムに応じてチップ数を変えて無駄のない構成が可能である。
【非特許文献１】「地上デジタルテレビジョン放送の伝送方式ＡＲＩＢ  ＳＴＤ−Ｂ３１  １．５版」、社団法人電波産業界、２００１年５月３１日初版策定、２００３年７月２９日１．５版改定
【特許文献１】特開２００３−３３３０１２号公報（平成１５年１１月２１日（２００３．１１．２１）公開）、図３
【発明の開示】
【発明が解決しようとする課題】
【００３３】
しかしながら、図８に示す上記従来の構成では、空間ダイバシティにおけるタイミングのずれを調整するためにタイミング調整ＲＡＭを２個も追加しなければならず、回路規模の削減及び消費電力の削減が困難になるという問題を生じる。
【００３４】
本発明は、上記の問題点に鑑みてなされたものであり、その目的は、メモリの数を削減することができ、回路規模と消費電力とを低減したＯＦＤＭ復調装置を提供することにある。
【課題を解決するための手段】
【００３５】
本発明に係るＯＦＤＭ復調装置は、上記課題を解決するために、空間ダイバシティのための複数個の復調ユニットを備え、各復調ユニットは、高周波信号を受信するアンテナと、前記高周波信号を中間周波数信号に変換するチューナと、前記中間周波数信号からベースバンド信号を取り出してデジタル信号処理するベースバンド信号処理部と、前記ベースバンド信号処理部によってデジタル信号処理されたベースバンド信号の誤りを訂正するために設けられた誤り訂正処理部とを含み、前記ベースバンド信号処理部は、前記中間周波数信号からベースバンド信号を取り出す直交検波回路と、前記ベースバンド信号を波形等化する波形等化回路と、空間ダイバシティ合成のためのダイバシティ合成回路とを有し、前記誤り訂正処理部は、誤り訂正処理のために設けられた誤り訂正処理メモリを有し、前記複数個の復調ユニットの１つの波形等化回路から出力された第１ベースバンド信号は、前記復調ユニットの１つの誤り訂正処理メモリにより、前記復調ユニットの他の１つの波形等化回路から出力された第２ベースバンド信号とのタイミングを調整され、前記復調ユニットの他の１つのダイバシティ合成回路は、前記復調ユニットの１つの誤り訂正処理メモリにより前記第２ベースバンド信号とのタイミングを調整された第１ベースバンド信号と、前記第２ベースバンド信号とを合成することを特徴としている。
【００３６】
上記特徴によれば、前記複数個の復調ユニットの１つの波形等化回路から出力された第１ベースバンド信号は、前記復調ユニットの１つの誤り訂正処理メモリにより、前記復調ユニットの他の１つの波形等化回路から出力された第２ベースバンド信号とのタイミングを調整され、前記復調ユニットの他の１つのダイバシティ合成回路は、前記復調ユニットの１つの誤り訂正処理メモリにより前記第２ベースバンド信号とのタイミングを調整された第１ベースバンド信号と、前記第２ベースバンド信号とを合成する。このため、複数チップ構成の空間ダイバシティ復調回路において、誤り訂正処理部に設けられた誤り訂正処理メモリを、空間ダイバシティにおけるタイミングの差を調整するためのメモリとして活用することができる。従って、空間ダイバシティのタイミングの差を調整するために新たにメモリを追加する必要がなくなり、その結果、メモリの数を削減することができ、回路規模と消費電力とを低減したＯＦＤＭ復調装置を提供することができる。
【００３７】
本発明に係るＯＦＤＭ復調装置では、前記誤り訂正処理メモリは、前記ベースバンド信号をデインタリーブ処理するデインタリーブ回路用ＲＡＭであることが好ましい。
【００３８】
上記構成によれば、デインタリーブ処理に必要な数メガビットオーダーの大容量ＲＡＭを、空間ダイバシティのタイミング調整に活用することができる。
【００３９】
本発明に係るＯＦＤＭ復調装置では、前記複数個の復調ユニットは、一対の復調ユニットであることが好ましい。
【００４０】
上記構成によれば、２チップ構成の空間ダイバシティ復調回路において、誤り訂正処理メモリを、空間ダイバシティのタイミング調整用メモリとして活用することができる。
【００４１】
本発明に係るＯＦＤＭ復調装置では、前記複数個の復調ユニットのそれぞれは、チップ状に構成されることが好ましい。
【００４２】
上記構成によれば、空間ダイバシティを行わないときは、１チップによりモジュールを構成し、空間ダイバシティを行うときは、複数チップによりモジュールを構成することができ、システムに応じてチップ数を変更して復調装置を柔軟に構成することができる。
【００４３】
本発明に係るＯＦＤＭ復調装置では、前記ベースバンド信号処理部は、前記ベースバンド信号のシンボル同期処理を行うシンボル同期回路を有することが好ましい。
【００４４】
上記構成によれば、シンボル同期回路によるシンボル同期のずれを、誤り訂正処理メモリを活用して調整することができ、シンボル同期のずれを調整するために新たにメモリを追加する必要がなくなる。
【００４５】
本発明に係るＯＦＤＭ復調装置では、前記ベースバンド信号処理部は、前記ベースバンド信号のシンボル同期処理を行うシンボル同期回路と、前記ベースバンド信号の広帯域キャリア周波数誤差を補正する広帯域キャリア周波数誤差補正回路と、空間ダイバシティにおけるタイミングの差を調整するために設けられたタイミング調整回路とを有し、前記複数個の復調ユニットの１つに設けられたタイミング調整回路は、前記復調ユニットの１つのシンボル同期回路と前記復調ユニットの他の１つのシンボル同期回路との間のシンボル同期タイミングの差と、前記復調ユニットの１つの広帯域キャリア周波数誤差補正回路と前記復調ユニットの他の１つの広帯域キャリア周波数誤差補正回路との間の広帯域キャリア周波数誤差補正の差とを、前記復調ユニットの１つの誤り訂正処理メモリによって調整するための制御信号を生成することが好ましい。
【００４６】
上記構成によれば、シンボル同期回路によるシンボル同期のずれと、広帯域キャリア周波数誤差補正の差とを簡単な構成によって調整することができる。
【００４７】
本発明に係るＯＦＤＭ復調装置の動作方法は、上記課題を解決するために、空間ダイバシティのための複数個の復調ユニットを備え、各復調ユニットは、高周波信号を受信するアンテナと、前記高周波信号を中間周波数信号に変換するチューナと、前記中間周波数信号からベースバンド信号を取り出してデジタル信号処理するベースバンド信号処理部と、前記ベースバンド信号処理部によってデジタル信号処理されたベースバンド信号の誤りを訂正するために設けられた誤り訂正処理部とを含み、前記ベースバンド信号処理部は、前記中間周波数信号からベースバンド信号を取り出す直交検波回路と、前記ベースバンド信号を波形等化する波形等化回路と、空間ダイバシティ合成のためのダイバシティ合成回路とを有し、前記誤り訂正処理部は、誤り訂正処理のために設けられた誤り訂正処理メモリを有するＯＦＤＭ復調装置の動作方法であって、前記複数個の復調ユニットの１つの波形等化回路から出力された第１ベースバンド信号と、前記復調ユニットの他の１つの波形等化回路から出力された第２ベースバンド信号との間のタイミングを前記復調ユニットの１つの誤り訂正処理メモリによって調整し、前記復調ユニットの１つの誤り訂正処理メモリにより前記第２ベースバンド信号とのタイミングを調整された第１ベースバンド信号と、前記第２ベースバンド信号とを、前記復調ユニットの他の１つのダイバシティ合成回路によって合成することを特徴とする。
【００４８】
上記特徴によれば、前記複数個の復調ユニットの１つの波形等化回路から出力された第１ベースバンド信号と、前記復調ユニットの他の１つの波形等化回路から出力された第２ベースバンド信号との間のタイミングを前記復調ユニットの１つの誤り訂正処理メモリによって調整し、前記復調ユニットの１つの誤り訂正処理メモリにより前記第２ベースバンド信号とのタイミングを調整された第１ベースバンド信号と、前記第２ベースバンド信号とを、前記復調ユニットの他の１つのダイバシティ合成回路によって合成する。このため、複数チップ構成の空間ダイバシティ復調回路において、誤り訂正処理部に設けられた誤り訂正処理メモリを、空間ダイバシティにおけるタイミングの差を調整するためのメモリとして活用することができる。従って、空間ダイバシティのタイミングの差を調整するために新たにメモリを追加する必要がなくなり、その結果、メモリの数を削減することができ、回路規模と消費電力とを低減したＯＦＤＭ復調方法を提供することができる。
【００４９】
本発明に係るプログラムは、上記課題を解決するために、空間ダイバシティのための複数個の復調ユニットを備え、各復調ユニットは、高周波信号を受信するアンテナと、前記高周波信号を中間周波数信号に変換するチューナと、前記中間周波数信号からベースバンド信号を取り出してデジタル信号処理するベースバンド信号処理部と、前記ベースバンド信号処理部によってデジタル信号処理されたベースバンド信号の誤りを訂正するために設けられた誤り訂正処理部とを含み、前記ベースバンド信号処理部は、前記中間周波数信号からベースバンド信号を取り出す直交検波回路と、前記ベースバンド信号を波形等化する波形等化回路と、空間ダイバシティ合成のためのダイバシティ合成回路とを有し、前記誤り訂正処理部は、誤り訂正処理のために設けられた誤り訂正処理メモリを有するＯＦＤＭ復調装置によるＯＦＤＭ復調方法を実行するプログラムであって、コンピュータに、前記複数個の復調ユニットの１つの波形等化回路から出力された第１ベースバンド信号と、前記復調ユニットの他の１つの波形等化回路から出力された第２ベースバンド信号との間のタイミングを前記復調ユニットの１つの誤り訂正処理メモリによって調整する手順と、前記復調ユニットの１つの誤り訂正処理メモリにより前記第２ベースバンド信号とのタイミングを調整された第１ベースバンド信号と、前記第２ベースバンド信号とを、前記復調ユニットの他の１つのダイバシティ合成回路によって合成する手順とを実行させることを特徴とする。
【００５０】
本発明に係るコンピュータ読み取り可能な記録媒体は、上記課題を解決するために、空間ダイバシティのための複数個の復調ユニットを備え、各復調ユニットは、高周波信号を受信するアンテナと、前記高周波信号を中間周波数信号に変換するチューナと、前記中間周波数信号からベースバンド信号を取り出してデジタル信号処理するベースバンド信号処理部と、前記ベースバンド信号処理部によってデジタル信号処理されたベースバンド信号の誤りを訂正するために設けられた誤り訂正処理部とを含み、前記ベースバンド信号処理部は、前記中間周波数信号からベースバンド信号を取り出す直交検波回路と、前記ベースバンド信号を波形等化する波形等化回路と、空間ダイバシティ合成のためのダイバシティ合成回路とを有し、前記誤り訂正処理部は、誤り訂正処理のために設けられた誤り訂正処理メモリを有するＯＦＤＭ復調装置によるＯＦＤＭ復調方法を実行するプログラムを記録したコンピュータ読み取り可能な記録媒体であって、コンピュータに、前記複数個の復調ユニットの１つの波形等化回路から出力された第１ベースバンド信号と、前記復調ユニットの他の１つの波形等化回路から出力された第２ベースバンド信号との間のタイミングを前記復調ユニットの１つの誤り訂正処理メモリによって調整する手順と、前記復調ユニットの１つの誤り訂正処理メモリにより前記第２ベースバンド信号とのタイミングを調整された第１ベースバンド信号と、前記第２ベースバンド信号とを、前記復調ユニットの他の１つのダイバシティ合成回路によって合成する手順とを実行させるプログラムを記録したことを特徴とする。
【発明の効果】
【００５１】
本発明に係るＯＦＤＭ復調装置は、以上のように、前記複数個の復調ユニットの１つの波形等化回路から出力された第１ベースバンド信号は、前記復調ユニットの１つの誤り訂正処理メモリにより、前記復調ユニットの他の１つの波形等化回路から出力された第２ベースバンド信号とのタイミングを調整され、前記復調ユニットの他の１つのダイバシティ合成回路は、前記復調ユニットの１つの誤り訂正処理メモリにより前記第２ベースバンド信号とのタイミングを調整された第１ベースバンド信号と、前記第２ベースバンド信号とを合成するので、メモリの数を削減することができ、回路規模と消費電力とを低減したＯＦＤＭ復調装置を提供することができるという効果を奏する。
【００５２】
本発明に係るＯＦＤＭ復調装置の動作方法、以上のように、前記複数個の復調ユニットの１つの波形等化回路から出力された第１ベースバンド信号と、前記復調ユニットの他の１つの波形等化回路から出力された第２ベースバンド信号との間のタイミングを前記復調ユニットの１つの誤り訂正処理メモリによって調整し、前記復調ユニットの１つの誤り訂正処理メモリにより前記第２ベースバンド信号とのタイミングを調整された第１ベースバンド信号と、前記第２ベースバンド信号とを、前記復調ユニットの他の１つのダイバシティ合成回路によって合成するので、ＯＦＤＭ復調装置の回路規模と消費電力とを低減することができるという効果を奏する。
【発明を実施するための最良の形態】
【００５３】
本発明の一実施形態について図１ないし図６に基づいて説明すると以下の通りである。図１は、本発明の実施形態を示すものであり、ＯＦＤＭ復調装置１の構成を示すブロック図である。本実施の形態に係るＯＦＤＭ復調装置１は、空間ダイバシティによって受信性能を改善する。ＯＦＤＭ復調装置１は、空間ダイバシティのための２個の復調ユニット２ａ・２ｂを備えている。
【００５４】
空間ダイバシティの合成方法には、前述したように、２個の復調ユニットのうち受信状況が良い方に切り替える選択合成法と、２個の復調ユニットの信号を位相のみ調整して合成する等利得合成法と、２個の復調ユニットの信号の振幅・位相両方を調整して合成する最大比合成法とがある。
【００５５】
復調ユニット２ａは、１チップ状に構成されており、アンテナ３ａと、チューナ４ａと、ベースバンド信号処理部５ａと、誤り訂正処理部６ａとを含んでいる。ベースバンド信号処理部５ａは、アナログデジタル変換器（ＡＤＣ）７ａと、直交検波回路８ａと、狭帯域キャリア周波数誤差補正回路９ａと、シンボル同期回路１０ａと、ＡＧＣ回路１１ａと、ＦＦＴ演算回路１２ａと、広帯域キャリア周波数誤差補正回路１３ａと、ＴＭＣＣ復号回路１４ａと、波形等化回路１５ａと、タイミング調整回路１８ａと、ダイバシティ合成回路１６ａとを有している。誤り訂正処理部６ａは、デマッピング回路１９ａと、デインタリーブ回路２０ａと、デインタリーブＲＡＭ２１ａ・２２ａと、リードソロモン（ＲＳ）復号回路２３ａとを有している。
【００５６】
復調ユニット２ｂも、復調ユニット２ａと共通に構成されている。復調ユニット２ｂは、１チップ状に構成されており、アンテナ３ｂと、チューナ４ｂと、ベースバンド信号処理部５ｂと、誤り訂正処理部６ｂとを含んでいる。ベースバンド信号処理部５ｂは、アナログデジタル変換器（ＡＤＣ）７ｂと、直交検波回路８ｂと、狭帯域キャリア周波数誤差補正回路９ｂと、シンボル同期回路１０ｂと、ＡＧＣ回路１１ｂと、ＦＦＴ演算回路１２ｂと、広帯域キャリア周波数誤差補正回路１３ｂと、ＴＭＣＣ復号回路１４ｂと、波形等化回路１５ｂと、タイミング調整回路１８ｂと、ダイバシティ合成回路１６ｂとを有している。誤り訂正処理部６ｂは、デマッピング回路１９ｂと、デインタリーブ回路２０ｂと、デインタリーブＲＡＭ２１ｂ・２２ｂと、リードソロモン（ＲＳ）復号回路２３ｂとを有している。
【００５７】
放送局から放送されたデジタル放送の放送波は、ＯＦＤＭ復調装置１のアンテナ３ａ・３ｂによりそれぞれ受信され、ＲＦ信号としてチューナ４ａ・４ｂにそれぞれ供給される。チューナ４ａ・４ｂは、アンテナ３ａ・３ｂを通じてそれぞれ受信されたＲＦ（高周波）信号を、ＩＦ（中間周波数）信号に周波数変換する。チューナ４ａ・４ｂは、周波数変換したＩＦ信号を、ベースバンド信号処理部５ａ・５ｂにそれぞれ設けられたＡＤＣ７ａ・７ｂにそれぞれ供給する。
【００５８】
チューナ４ａ・４ｂから出力されたＩＦ信号は、ＡＤＣ７ａ・７ｂによりデジタル化される。デジタル化されたＩＦ信号は、直交検波回路８ａ・８ｂにそれぞれ供給される。
【００５９】
直交検波回路８ａ・８ｂは、所定の周波数（キャリア周波数）のキャリア信号を用いて、デジタル化されたＩＦ信号を直交復調し、ベースバンドのＯＦＤＭ信号を出力する。ベースバンドのＯＦＤＭ信号は、直交復調された結果、実軸成分（Ｉチャネル信号）と、虚軸成分（Ｑチャネル信号）とから構成される複素信号となる。直交検波回路８ａ・８ｂから出力されるベースバンドのＯＦＤＭ信号は、狭帯域キャリア周波数誤差補正回路９ａ・９ｂに供給される。
【００６０】
狭帯域キャリア周波数誤差補正回路９ａ・９ｂは、直交検波回路８ａ・８ｂから供給されたベースバンドのＯＦＤＭ信号の狭帯域キャリア周波数誤差を補正して、シンボル同期回路１０ａ・１０ｂ及びＦＦＴ演算回路１２ａ・１２ｂに供給する。
【００６１】
シンボル同期回路１０ａ・１０ｂは、ベースバンドのＯＦＤＭ信号から伝送モード及びガードインターバル比等の伝送パラメータを抽出するシンボル同期処理を実行する。
【００６２】
ＦＦＴ演算回路１２ａ・１２ｂは、ベースバンドのＯＦＤＭ信号に対してＦＦＴ演算を行い、各サブキャリアに直交変調されている信号を抽出して出力する。ＦＦＴ演算回路１２ａ・１２ｂは、１つのＯＦＤＭシンボルから有効シンボル長分の信号を抜き出し、抜き出した信号に対してＦＦＴ演算を行う。すなわち、ＦＦＴ演算回路１２ａ・１２ｂは、１つのＯＦＤＭシンボルからガードインターバル長分の信号を除き、残った信号に対してＦＦＴ演算を行う。ＦＦＴ演算を行うために抜き出される信号の範囲は、その抜き出した信号点が連続していれば、１つのＯＦＤＭ伝送シンボルの任意の位置でよい。つまり、その抜き出す信号の範囲の開始位置は、ＧＩ期間中のいずれかの位置となる。ＦＦＴ演算回路１２ａ・１２ｂにより抽出された各サブキャリアに変調されていた信号は、実軸成分（Ｉチャネル信号）と虚軸成分（Ｑチャネル信号）とから構成される複素信号である。ＦＦＴ演算回路１２ａ・１２ｂにより抽出された信号は、ＴＭＣＣ復号回路１４ａ・１４ｂ、広帯域キャリア周波数誤差補正回路１３ａ・１３ｂおよび波形等価回路１５ａ・１５ｂに供給される。
【００６３】
広帯域キャリア周波数誤差補正回路１３ａ・１３ｂは、ＦＦＴ演算回路１２ａ・１２ｂによって供給されたベースバンドのＯＦＤＭ信号の広帯域キャリア周波数誤差を補正してＦＦＴ演算回路１２ａ・１２ｂに供給する。
【００６４】
波形等価回路１５ａ・１５ｂには、ＦＦＴ演算回路１２ａ・１２ｂから出力された各サブキャリアから復調された後の信号が供給される。空気中等の通信路中では、周波数選択性フェージング、レイリーフェージング等が発生し、ベースバンド信号が歪む。波形等価回路１５ａ・１５ｂは、サブキャリアの中に含まれているＳＰキャリアを基準にして、この歪みを補正するブロックである。
【００６５】
ＴＭＣＣ復号回路１４ａ・１４ｂは、ＯＦＤＭ伝送フレームにおける所定の位置に変調されている、ＴＭＣＣなどの伝送制御情報を復号する。
【００６６】
２系統のアンテナ３ａ・３ｂによってそれぞれ受信した２系統の信号をダイバシティ合成する場合を考える。前述した空間ダイバシティの選択合成法と等利得合成法と最大比合成法とのいずれの場合も、同じキャリア番号のＦＦＴ出力、波形等化出力を選択・合成しないとダイバシティの効果が出ない。しかし、各アンテナ３ａ・３ｂには、別個のチューナ４ａ・４ｂをそれぞれ接続するので、復調側は独立にキャリア周波数同期・シンボル同期を行なう。したがって、送信側において同じキャリア番号の情報であっても、２系統の受信側のＦＦＴもしくは波形等化出力において対応するデータが出力されるタイミングは互いに異なる。
【００６７】
そこで、本実施の形態においては、波形等価回路１５ａから出力された信号をデインタリーブＲＡＭ２１ａに格納し、波形等価回路１５ｂから出力された信号をデインタリーブＲＡＭ２２ａに格納する。
【００６８】
タイミング調整回路１８ａは、シンボル同期回路１０ａとシンボル同期回路１０ｂとの間のシンボル同期タイミングの差と、広帯域キャリア周波数誤差補正回路１３ａと広帯域キャリア周波数誤差補正回路１３ｂとの間の広帯域キャリア周波数誤差補正の差とを、デインタリーブＲＡＭ２１ａ・２２ａによって調整するための制御信号を生成する。
【００６９】
そして、ダイバシティ合成回路１６ｂは、タイミング調整回路１８ａによって生成された制御信号に基づいて、デインタリーブＲＡＭ２１ａに格納された信号と、デインタリーブＲＡＭ２２ａに格納された信号とを、タイミングを調整して合成し、誤り訂正処理部６ｂに設けられたデマッピング回路１９ｂに供給する。
【００７０】
デマッピング回路１９ｂは、キャリア復調された信号（複素信号）に対して、データの再割付処理（デマッピング処理）を行う。これにより、伝送データ系列を復元する。
【００７１】
デインタリーブ回路２０ｂは、キャリア復調された信号を、デインタリーブＲＡＭ２１ｂにより、周波数軸方向に沿ってデインタリーブ処理し、デインタリーブＲＡＭ２２ｂにより、時間軸方向に沿ってデインタリーブ処理した後、ＲＳ復号回路２３ｂに供給する。
【００７２】
ＲＳ復号回路２３ｂは、入力された伝送データ系列に対してリードソロモン復号処理を行う。これにより、ＭＰＥＧ−２システムズで規定されたトランスポートストリームとして伝送データ系列を出力する。
【００７３】
ダイバシティ合成回路１６ａとデマッピング回路１９ａとデインタリーブ回路２０ａとＲＳ復号回路２３ａとは、使用されない。
【００７４】
このように構成された２チップダイバシティ構成のＯＦＤＭ復調装置１は、誤り訂正処理部６ａに設けられたデインタリーブＲＡＭ２１ａ・２２ａを、空間ダイバシティのタイミング調整用ＲＡＭとして活用する。このため、従来技術の構成のように、空間ダイバシティにおけるタイミングのずれを調整するためにタイミング調整ＲＡＭを追加する必要が無く、回路規模を削減し、消費電力を低減することができる。
【００７５】
非特許文献１の「地上デジタルテレビジョン放送の伝送方式ＡＲＩＢ  ＳＴＤ−Ｂ３１  １．５版」におけるデインタリーブ処理に必要なＲＡＭの容量は、数メガビットオーダーになるので、このような容量を有するデインタリーブＲＡＭ２１ａ・２２ａを、空間ダイバシティのタイミング調整用ＲＡＭとして活用することができる。
【００７６】
図２は、ＯＦＤＭ復調装置１のシンボル同期タイミングを説明するための図である。ＯＦＤＭ復調装置ではシンボル同期を行うために、狭帯域キャリア周波数誤差補正回路９ａ・９ｂからの出力信号における複素相関の強度に基づいて同期タイミングを検出する。１波のみが伝送される理想通信路では、図２に示す様に、有効シンボル期間ｔｓとガードインターバル（ＧＩ）期間ｔｇとの境界に相当する時刻ｔ１の一点でのみ複素相関の強度のピークが現れるので、このピーク・タイミングの時刻ｔ１においてシンボル同期をとれば良い。
【００７７】
図３は、ＯＦＤＭ復調装置１のシンボル同期タイミングのずれを説明するための図である。図４は、このシンボル同期タイミングのずれによって生じるＦＦＴ出力タイミングのずれを説明するための図である。先行波と遅延波との２波マルチパスが伝送される通信路の場合には、図３に示す様に、先行波と遅延波の和が受信される。この受信信号の複素相関の強度は、各素波の複素相関の和となる。ダイバシティ受信では、２本のアンテナ３ａ・３ｂの空間的な受信環境が異なる為に、受信する電波における先行波と遅延波との強度比が異なる。
【００７８】
復調ユニット２ａでは、先行波の強度が遅延波の強度よりも大きく、先行波に基づく受信信号に対応する複素相関の強度Ｓ１と、遅延波に基づく受信信号に対応する複素相関の強度Ｓ２との和である強度Ｓ３となって受信される。この強度Ｓ３では、先行波の有効シンボル期間とガードインターバル（ＧＩ）期間との境界に相当する時刻ｔ１においてピーク・タイミングが現れる。復調ユニット２ｂでは、遅延波の強度が先行波の強度よりも大きく、先行波に基づく受信信号に対応する複素相関の強度Ｓ４と、遅延波に基づく受信信号に対応する複素相関の強度Ｓ５との和である強度Ｓ６となって受信される。この強度Ｓ６では、遅延波の有効シンボル期間とガードインターバル（ＧＩ）期間との境界に相当する時刻ｔ２においてピーク・タイミングが現れる。
【００７９】
ベースバンド信号処理部５ａ・５ｂでは、このシンボル同期タイミングを示す時刻ｔ１・ｔ２にそれぞれしたがって処理を行う。
【００８０】
このように、復調ユニット２ａ・２ｂ間でシンボル同期信号のタイミングが異なると、図４に示すように、ＦＦＴ１２ａ・１２ｂ間の出力タイミング及び波形等化回路１５ａ・１５ｂ間の出力タイミングも、時間差ｔ３（＝時刻ｔ２−時刻ｔ１）だけずれる。
【００８１】
図５は、ＯＦＤＭ復調装置１の各チューナ４ａ・４ｂの周波数変換によるキャリア周波数の差によって生じるＦＦＴ出力タイミングのずれを説明するための図である。復調ユニット２ａ・２ｂは、それぞれ異なるチューナ４ａ・４ｂを備えている。各チューナ４ａ・４ｂは、数百ＭＨｚのＲＦ信号を数ＭＨｚ程度のＩＦ信号に変換する。チューナ４ａ・４ｂによる周波数変換には、ＦＦＴのキャリア間隔程度の差が生じてしまう。
【００８２】
議論を簡単にするために、シンボル同期のズレは生じていないとする。しかし、チューナ４ａによって変換されたＩＦ信号の周波数と、チューナ４ｂによって変換されたＩＦ信号の周波数との間に差があると、図５に示す様に、ＦＦＴ１２ａ・１２ｂからの出力信号のキャリア番号、及び波形等化回路１５ａ・１５ｂからの出力信号のキャリア番号にも同じだけの差ｔ４が生じる。ＦＦＴ回路１２ａ・１２ｂ及び波形等化回路１５ａ・１５ｂは、シンボル同期信号を基準にしてキャリア番号順に各キャリアのＢＢ信号を出力する。したがって、チューナ４ａ・４ｂ間のキャリア周波数の誤差は、ＦＦＴ回路１２ａ・１２ｂ及び波形等化回路１５ａ・１５ｂの出力タイミングの差になる。
【００８３】
実際に本ＯＦＤＭ復調装置１を使用した場合には、復調ユニット２ａ・２ｂでのシンボル同期のズレと、チューナ４ａ・４ｂ間のキャリア周波数の誤差が両方同時に発生する。つまり、２つのタイミングのズレの和（ｔ３＋ｔ４）が、実際に生ずる波形等化回路１５ａ・１５ｂの出力タイミング差となる。本発明のタイミング調整回路１８ａ・１８ｂは、タイミング差（ｔ３＋ｔ４）を調整するものである。
【００８４】
前述したように、空間ダイバシティの合成方法には、２個の復調ユニットのうち受信状況が良い方に切り替える選択合成法と、２個の復調ユニットの信号を位相のみ調整して合成する等利得成法と、２個の復調ユニットの信号の振幅・位相両方を調整して合成する最大比合成法とがあるが、本発明は、いずれの合成方法に対しても適用することができる。
【００８５】
本実施の形態では、ＯＦＤＭ復調装置が２個の復調ユニット２ａ・２ｂを備える例を示したが、本発明はこれに限定されない。３個以上の復調ユニットを備える構成に対しても本発明を適用することができる。
【００８６】
図６は、本実施の形態に係るＯＦＤＭ復調装置の変形例の構成を示すブロック図である。前述した構成要素と同一の構成要素には同一の参照符号を付している。従って、これらの構成要素の詳細な説明は省略する。
【００８７】
図６に示すように、デインタリーブＲＡＭ２２ａは使用せず、波形等化回路１５ｂから出力されるベースバンド信号をダイバシティ合成回路１６ｂに直接供給するように構成してもよい。ダイバシティ合成回路１６ｂは、デインタリーブＲＡＭ２１ａによりタイミングを調整されたベースバンド信号と、波形等化回路１５ｂから出力されたベースバンド信号とを合成する。
【００８８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００８９】
なお、上記実施形態のＯＦＤＭ復調装置の各部や各処理ステップは、ＣＰＵなどの演算手段が、ＲＯＭ（Read Only Memory）やＲＡＭなどの記憶手段に記憶されたプログラムを実行し、インターフェース回路などの通信手段を制御することにより実現することができる。したがって、これらの手段を有するコンピュータが、上記プログラムを記録した記録媒体を読み取り、当該プログラムを実行するだけで、本実施形態のＯＦＤＭ復調装置の各種機能および各種処理を実現することができる。また、上記プログラムをリムーバブルな記録媒体に記録することにより、任意のコンピュータ上で上記の各種機能および各種処理を実現することができる。
【００９０】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【００９１】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００９２】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【００９３】
また、インターネットを含む通信ネットワークを接続可能なシステム構成であれば、通信ネットワークからプログラムをダウンロードするように流動的にプログラムを担持する記録媒体であることが好ましい。
【００９４】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【００９５】
本発明は、デジタル伝送方式にて、映像信号や音声信号を効率よく伝送できるＯＦＤＭの復調装置に適用することができ、また、ＯＦＤＭ方式に従って信号を受信する装置、例えば、無線ＬＡＮのための復調装置、ＢＳデジタル放送、ＣＳデジタル放送を受信するための復調装置、ケーブルテレビの復調装置に対しても本発明を適用することができる。
【図面の簡単な説明】
【００９６】
【図１】本発明の実施形態を示すものであり、ＯＦＤＭ復調装置の構成を示すブロック図である。
【図２】上記ＯＦＤＭ復調装置のシンボル同期タイミングを説明するための図である。
【図３】上記ＯＦＤＭ復調装置のシンボル同期タイミングのずれを説明するための図である。
【図４】上記ＯＦＤＭ復調装置のシンボル同期タイミングのずれによって生じるＦＦＴ出力タイミングのずれを説明するための図である。
【図５】上記ＯＦＤＭ復調装置の各チューナの周波数変換によるキャリア周波数の差によって生じるＦＦＴ出力タイミングのずれを説明するための図である。
【図６】本実施の形態に係るＯＦＤＭ復調装置の変形例の構成を示すブロック図である。
【図７】ＯＦＤＭ変調波の伝送シンボルの一例を示す図である。
【図８】従来技術を示すものであり、ＯＦＤＭ復調装置の構成を示すブロック図である。
【符号の説明】
【００９７】
１  ＯＦＤＭ復調装置
２ａ、２ｂ  復調ユニット
３ａ、３ｂ  アンテナ
４ａ、４ｂ  チューナ
５ａ、５ｂ  ベースバンド信号処理部
６ａ、６ｂ  誤り訂正処理部
８ａ、８ｂ  直交検波回路
１０ａ、１０ｂ  シンボル同期回路
１３ａ、１３ｂ  広帯域キャリア周波数誤差補正回路
１６ａ、１６ｂ  ダイバシティ合成回路
１８ａ、１８ｂ  タイミング調整回路
２１ａ、２１ｂ、２２ａ、２２ｂ  デインタリーブＲＡＭ（誤り訂正処理メモリ、デインタリーブ回路用ＲＡＭ）
【図１】
0004499045.tif 000005
【図２】
0004499045.tif 000006
【図３】
0004499045.tif 000007
【図４】
0004499045.tif 000008
【図５】
0004499045.tif 000009
【図６】
0004499045.tif 000010
【図７】
0004499045.tif 000011
【図８】
0004499045.tif 000012